(57)【要約】【課題】  携帯再生装置（１０７）及び再生装置（１０３）が記憶するコンテンツデータを当該通信接続されたいずれの装置からも再生をリクエスト可能なコンテンツ再生システム等を提供する。【解決手段】  コンテンツ再生システムにおける携帯再生装置は，自身が記憶するコンテンツデータの一覧を示したリスト情報を通信接続する再生装置に送信し；再生装置は，自身と通信接続される各携帯再生装置から，該携帯再生装置が記憶するコンテンツデータの一覧を示したリスト情報を収集し，全リスト情報（３０７）を携帯再生装置に送信し，全リスト情報（３０７，３０８）に記載されたコンテンツデータを識別する識別情報の中から少なくとも一つの識別情報の選択を受付け；当該選択された識別情報に対応するコンテンツデータを，再生装置又は携帯再生装置のうちいずれか一方が再生することを特徴としている。【選択図】    図２
2006252659.tif 000002
【特許請求の範囲】
【請求項１】
再生装置と，該再生装置に通信接続された１又は２以上の携帯再生装置とを備えたコンテンツ再生システムであって：
前記携帯再生装置は，自身が記憶するコンテンツデータの一覧を示したリスト情報を通信接続する再生装置に送信し；
再生装置は，自身と通信接続される各携帯再生装置から，該携帯再生装置が記憶するコンテンツデータの一覧を示したリスト情報を収集し，その収集したリスト情報を該リスト情報の保有元の携帯再生装置を識別する装置識別情報でひも付けて記憶するとともに，その収集したリスト情報と当該再生装置自身が記憶するコンテンツデータのリスト情報とを含んだ全リスト情報を前記携帯再生装置に送信し；
前記携帯再生装置は，前記再生装置から送信された前記全リスト情報を記憶し；
前記携帯再生装置は，前記全リスト情報を画面上に表示し；
前記携帯再生装置は，前記全リスト情報に記載されたコンテンツデータを識別する識別情報の中から少なくとも一つの識別情報の選択を受付け；
前記選択された識別情報に対応するコンテンツデータを，前記再生装置又は前記携帯再生装置のうちいずれか一方が再生することを特徴とする，コンテンツ再生システム。
【請求項２】
携帯再生装置は，自身が記憶するコンテンツデータの一覧を示したリスト情報を通信接続する再生装置に送信し；
前記再生装置に通信接続した携帯再生装置から収集したリスト情報と当該再生装置が記憶するコンテンツデータのリスト情報とを含んだ全リスト情報を受信し；
前記再生装置から送信された前記全リスト情報を記憶し；
前記全リスト情報を画面上に表示し；
前記全リスト情報に記載されたコンテンツデータを識別する識別情報の中から少なくとも一つの識別情報の選択を受付け，その選択された識別情報に対応する選択コンテンツデータの再生を指示することを特徴とする，通信方法。
【請求項３】
前記通信方法は，さらに，前記選択コンテンツデータを携帯再生装置が記憶しているとき，前記再生指示を基にして当該選択コンテンツデータを再生し，当該選択コンテンツデータの再生により生成される再生データを前記再生装置に送信することを特徴とする，請求項２に記載の通信方法。
【請求項４】
前記通信方法は，さらに，前記選択コンテンツデータを前記選択受付け元の携帯再生装置自身が記憶していないとき，当該選択コンテンツデータを再生するように命ずる再生命令を前記再生装置に送信することを特徴とする，請求項２に記載の通信方法。
【請求項５】
前記通信方法は，さらに，前記選択コンテンツデータを前記選択受付け元の携帯再生装置自身が記憶しているとき，前記再生指示を基にして当該選択コンテンツデータをストリーミング形式で前記再生装置に送信することを特徴とする，請求項２に記載の通信方法。
【請求項６】
前記再生装置上で前記ストリーミング形式の選択コンテンツデータが再生され，その選択コンテンツデータの再生により生成される再生データを受信することを特徴とする，請求項５に記載の通信方法。
【請求項７】
前記通信方法は，さらに，
前記ストリーミング形式で送信された選択コンテンツデータが前記再生装置上で再生できないとき，前記選択コンテンツデータを再生するように命ずる再生命令を前記再生装置から受信し；
前記再生命令に応じて前記選択コンテンツデータを再生することを特徴とする，請求項５に記載の通信方法。
【請求項８】
前記通信方法は，さらに，前記携帯再生装置が記憶する全リスト情報に記載された識別情報が加工された場合，前記加工後の全リスト情報を前記再生装置に送信することを特徴とする，請求項２に記載の通信方法。
【請求項９】
再生装置は，自身と通信接続される１又は２以上の携帯再生装置から，該携帯再生装置が記憶するコンテンツデータの一覧を示したリスト情報を受信することで，該携帯再生装置からのリスト情報を収集し；
前記収集した携帯再生装置のリスト情報を，該リスト情報の保有元の携帯再生装置を識別する装置識別情報でひも付けて記憶し，そのリスト情報と当該再生装置自身が記憶するコンテンツデータのリスト情報とを含んだ全リスト情報を前記携帯再生装置に送信することを特徴とする，通信方法。
【請求項１０】
前記通信方法は，さらに，前記全リスト情報に記載されたコンテンツデータを識別する識別情報の中から少なくとも一つの識別情報の選択が前記携帯再生装置によって受付けられ，当該選択された識別情報に対応する選択コンテンツデータを前記選択受付け元の携帯再生装置が記憶しているとき，当該携帯再生装置上で当該選択コンテンツデータが再生され，その再生により生成される当該選択コンテンツデータの再生データを受信することを特徴とする，請求項９に記載の通信方法。
【請求項１１】
前記通信方法は，さらに，前記全リスト情報に記載されたコンテンツデータを識別する識別情報の中から少なくとも一つの識別情報の選択を前記携帯再生装置によって受付けられ，当該選択された識別情報に対応する選択コンテンツデータを前記選択受付け元の携帯再生装置自身が記憶していないとき，当該選択コンテンツデータを再生するように命ずる再生命令を前記選択受付け元の携帯再生装置から受信し；
前記再生装置は，自身が有する全リスト情報を参照することによって前記選択コンテンツデータを記憶する装置を特定し；
前記特定した結果，前記選択コンテンツデータを記憶する装置が前記選択受付け元の携帯再生装置を除いた他の携帯再生装置であるとき，当該他の携帯再生装置に対して前記選択コンテンツデータの再生命令を送信することを特徴とする，請求項９に記載の通信方法。
【請求項１２】
前記通信方法は，さらに，前記全リスト情報に記載されたコンテンツデータを識別する識別情報の中から少なくとも一つの識別情報の選択を前記携帯再生装置によって受付けられ，当該選択された識別情報に対応する選択コンテンツデータを前記選択受付け元の携帯再生装置が記憶しているとき，前記選択受付け元の携帯再生装置からストリーミング形式で送信された当該選択コンテンツデータを受信することを特徴とする，請求項９に記載の通信方法。
【請求項１３】
前記ストリーミング形式で送信された選択コンテンツデータを再生し，当該コンテンツデータの再生によって生成される再生データを前記再生装置と通信接続される携帯再生装置に送信することを特徴とする，請求項１２に記載の通信方法。
【請求項１４】
前記通信方法は，さらに，前記ストリーミング形式で送信された選択コンテンツデータの再生可否を判断し；
前記判断した結果，前記選択コンテンツデータを再生できない場合，前記選択コンテンツデータを記憶する前記選択受付け元の携帯再生装置に対して当該選択コンテンツデータの再生命令を送信し；
前記選択受付け元の携帯再生装置上で，前記再生命令に応じて前記選択コンテンツデータが再生され，それと並行して生成される当該選択コンテンツデータの再生データを受信することを特徴とする，請求項１２に記載の通信方法。
【請求項１５】
前記受信した再生データを，前記再生装置と通信接続される携帯再生装置に送信することを特徴とする，請求項１４に記載の通信方法。
【請求項１６】
前記ストリーミング形式で送信された選択コンテンツデータを受信し，当該選択コンテンツデータを前記再生装置に通信接続される携帯再生装置に送信することを特徴とする，請求項１２に記載の通信方法。
【請求項１７】
前記通信方法は，さらに，前記携帯再生装置が記憶する全リスト情報に記載された識別情報が加工された場合に当該携帯再生装置から加工後の全リスト情報を受信し；
前記再生装置自身が記憶する全リスト情報を加工後の全リスト情報に更新することを特徴とする，請求項９に記載の通信方法。
【請求項１８】
再生装置に通信接続した携帯再生装置であって：
前記携帯再生装置自身が記憶するコンテンツデータの一覧を示したリスト情報を通信接続する再生装置に送信する送信部と；
前記再生装置に通信接続した携帯再生装置から収集したリスト情報と当該再生装置が記憶するコンテンツデータのリスト情報とを含んだ全リスト情報を受信する受信部と；
前記再生装置から送信された前記全リスト情報を記憶する記憶部と；
前記全リスト情報を画面上に表示する表示部と；
前記全リスト情報に記載されたコンテンツデータを識別する識別情報の中から少なくとも一つの識別情報の選択を受付け，その選択された識別情報に対応する選択コンテンツデータの再生を指示する再生指示部とを備えることを特徴とする，携帯再生装置。
【請求項１９】
１又は２以上の携帯再生装置と通信接続する再生装置であって：
前記再生装置自身と通信接続される各携帯再生装置から，該携帯再生装置が記憶するコンテンツデータの一覧を示したリスト情報を受信することで，該携帯再生装置からのリスト情報を収集する収集部と；
前記収集した携帯再生装置のリスト情報を，該リスト情報の保有元の携帯再生装置を識別する装置識別情報でひも付けて記憶し，そのリスト情報と当該再生装置自身が記憶するコンテンツデータのリスト情報とを含んだ全リスト情報を前記携帯再生装置に送信する送信部とを備えることを特徴とする，再生装置。
【請求項２０】
１又は２以上の携帯再生装置と通信接続する車両であって：
前記車両自身と通信接続される各携帯再生装置から，該携帯再生装置が記憶するコンテンツデータの一覧を示したリスト情報を受信することで，該携帯再生装置からのリスト情報を収集する収集部と；
前記収集した携帯再生装置のリスト情報を，該リスト情報の保有元の携帯再生装置を識別する装置識別情報でひも付けて記憶し，そのリスト情報と当該車両自身が記憶するコンテンツデータのリスト情報とを含んだ全リスト情報を前記携帯再生装置に送信する送信部とを備えることを特徴とする，車両。
【請求項２１】
携帯再生装置自身が記憶するコンテンツデータの一覧を示したリスト情報を通信接続する再生装置に送信し；
前記再生装置に通信接続した携帯再生装置から収集したリスト情報と当該再生装置が記憶するコンテンツデータのリスト情報とを含んだ全リスト情報を受信し；
前記再生装置から送信された前記全リスト情報を記憶し；
前記全リスト情報を画面上に表示し；
前記全リスト情報に記載されたコンテンツデータを識別する識別情報の中から少なくとも一つの識別情報の選択を受付け，その選択された識別情報に対応する選択コンテンツデータの再生を指示する通信方法をコンピュータに実行させることを特徴とする，コンピュータプログラム。
【請求項２２】
再生装置自身と通信接続される１又は２以上の携帯再生装置から，該携帯再生装置が記憶するコンテンツデータの一覧を示したリスト情報を受信することで，該携帯再生装置からのリスト情報を収集し；
前記収集した携帯再生装置のリスト情報を，該リスト情報の保有元の携帯再生装置を識別する装置識別情報でひも付けて記憶し，そのリスト情報と当該再生装置自身が記憶するコンテンツデータのリスト情報とを含んだ全リスト情報を前記携帯再生装置に送信する通信方法をコンピュータに実行させることを特徴とする，コンピュータプログラム。
【発明の詳細な説明】
【技術分野】
【０００１】
本発明はコンテンツ再生方法，通信方法，再生装置，携帯再生装置，車両，およびコンピュータプログラムに関する。
【背景技術】
【０００２】
現在では，自動車等の車内で音楽等のコンテンツデータを再生することが可能な車載用のオーディオシステムが一般的に利用されている。かかるオーディオシステムでは，ＣＤやＭＤなどの記録媒体に記録されたコンテンツデータを再生し，スピーカー等に出力している。
【０００３】
また，オーディオシステムにて再生することができる１又は２以上のコンテンツデータを車内の搭乗者が所有するソース機器（携帯端末など）から読み込んで再生し，スピーカーなどに出力するシステムが存在する（例えば，特許文献１参照）。
【０００４】
【特許文献１】特開２００３−１９６９１９号公報
【発明の開示】
【発明が解決しようとする課題】
【０００５】
しかしながら，自分が所有するソース機器に記憶されたコンテンツデータ以外はオーディオシステムにコンテンツデータの再生をリクエストすることしかできず，自分以外の搭乗者が所有するコンテンツデータを把握する手段すら存在し得ず，他の搭乗者のコンテンツデータを自らオーディオシステムに再生要求することができなかった。
【０００６】
本発明は，上記問題点に鑑みてなされたものであり，本発明の目的は，車内で通信接続された携帯再生装置及び再生装置が記憶するコンテンツデータを当該通信接続されたいずれの装置からも再生をリクエストし，再生することが可能な，新規かつ改良されたコンテンツ再生システム，通信方法，再生装置，携帯再生装置，車両，およびコンピュータプログラムを提供することである。
【課題を解決するための手段】
【０００７】
上記課題を解決するため，本発明の第１の観点によれば，再生装置と，該再生装置に通信接続された１又は２以上の携帯再生装置とを備えたコンテンツ再生システムが提供される。上記コンテンツ再生システムにおける携帯再生装置は，自身が記憶するコンテンツデータの一覧を示したリスト情報を通信接続する再生装置に送信し；再生装置は，自身と通信接続される各携帯再生装置から，該携帯再生装置が記憶するコンテンツデータの一覧を示したリスト情報を収集し，その収集したリスト情報を該リスト情報の保有元の携帯再生装置を識別する装置識別情報でひも付けて記憶するとともに，その収集したリスト情報と当該再生装置自身が記憶するコンテンツデータのリスト情報とを含んだ全リスト情報を携帯再生装置に送信し；上記携帯再生装置は，再生装置から送信された上記全リスト情報を記憶し；上記携帯再生装置は，全リスト情報を画面上に表示し；上記携帯再生装置は，全リスト情報に記載されたコンテンツデータを識別する識別情報の中から少なくとも一つの識別情報の選択を受付け；当該選択された識別情報に対応するコンテンツデータを，再生装置又は携帯再生装置のうちいずれか一方が再生することを特徴としている。
【０００８】
また，上記課題を解決するために，本発明の別の観点によれば，携帯再生装置は，自身が記憶するコンテンツデータの一覧を示したリスト情報を通信接続する再生装置に送信し；再生装置と通信接続する携帯再生装置から収集したリスト情報と当該再生装置が記憶するコンテンツデータのリスト情報とを含んだ全リスト情報を受信し；上記再生装置から送信された全リスト情報を記憶し；全リスト情報を画面上に表示し；全リスト情報に記載されたコンテンツデータを識別する識別情報の中から少なくとも一つの識別情報の選択を受付け，その選択された識別情報に対応する選択コンテンツデータの再生を指示することを特徴とする通信方法が提供される。
【０００９】
本発明によれば，再生装置は，当該再生装置に通信接続している携帯再生装置から送信されるリスト情報を集め，再生装置自身のリスト情報とを合わせて全リスト情報を作成する。再生装置により作成された全リスト情報は各携帯再生装置の記憶部に格納される。その携帯再生装置に格納された全リスト情報のうち少なくとも一つの識別情報の選択を受付ければ，選択を受付けた識別情報に対応するコンテンツデータ（又は，選択コンテンツデータ）の再生を指示する。かかる構成によれば，再生装置及び当該再生装置に通信接続している携帯再生装置が保有するコンテンツデータ全てを各装置が保有せず，当該全コンテンツデータに対応する識別情報が少なくとも記載された全リスト情報を各装置が各々保有するため，各装置の記憶容量に負担をかけずに，どの装置からでも全リスト情報を基にしてコンテンツデータの再生を指示することができる。なお，通信接続は無線又は有線のいずれの場合でもよい。また，上記選択コンテンツデータとは，再生装置又は携帯再生装置がユーザからコンテンツデータの選択を受付けたコンテンツデータ自身であることを意味する。
【００１０】
上記通信方法は，さらに，上記選択コンテンツデータを携帯再生装置が記憶しているとき，当該選択コンテンツデータを再生し，当該選択コンテンツデータの再生により生成される再生データを再生装置に送信するように構成してもよい。
【００１１】
上記通信方法は，さらに，上記選択コンテンツデータを携帯再生装置が記憶しているとき，当該選択コンテンツデータを再生するのと並行して，当該選択コンテンツデータの再生により生成される再生データを再生装置に送信するように構成してもよい。かかる構成により，再生装置は再生データを受信するタイミングを早めることができ，再生データをより一層リアルタイムに出力することができる。なお，上記再生データは，例えば，コンテンツデータがデコードされた後のオーディオ信号及び／又はビデオ信号等を例示することができる。
【００１２】
上記通信方法は，上記選択コンテンツデータを選択受付け元の携帯再生装置自身が記憶していないとき，当該選択コンテンツデータを再生するように命ずる再生命令を再生装置に送信するように構成してもよい。かかる構成により，選択受付け元の携帯再生装置が選択コンテンツデータを記憶していなくとも，その選択コンテンツデータを再生装置又は他の携帯再生装置によって再生することができる。
【００１３】
上記通信方法は，上記選択コンテンツデータを選択受付け元の携帯再生装置自身が記憶しているとき，当該選択コンテンツデータをストリーミング形式で再生装置に送信するように構成してもよい。かかる構成により，選択受付け元の携帯再生装置自身はデコード処理等の処理が不要となり，自己の処理負荷が軽減した上で，コンテンツデータを再生することができる。
【００１４】
上記ストリーミング形式で送信される選択コンテンツデータは，携帯再生装置が復号可能である場合でも再生装置に送信されるように構成してもよい。かかる構成により，選択受付け元の携帯再生装置自身はデコード処理等の処理が一切不要となり，自己の処理負荷が軽減した上で，携帯再生装置よりも処理能力が高い再生装置がデコード処理等を実行するため，コンテンツデータを円滑に品質良く再生することができる。
【００１５】
上記再生装置上でストリーミング形式の選択コンテンツデータが再生され，その選択コンテンツデータの再生により生成される再生データを受信するように構成してもよい。
【００１６】
上記通信方法は，さらに，ストリーミング形式で送信された選択コンテンツデータが上記再生装置上で再生できないとき，選択コンテンツデータを再生するように命ずる再生命令を再生装置から受信し；上記再生命令に応じて選択コンテンツデータを再生するように構成してもよい。
【００１７】
上記通信方法は，さらに，携帯再生装置が記憶する全リスト情報に記載された識別情報が加工された場合，加工後の全リスト情報を再生装置に送信するように構成してもよい。かかる構成により，各携帯再生装置及び再生装置に分散して保有された全リスト情報が加工（追加，削除，または変更等）された場合でも内容の不一致なく全リスト情報の内容の統一を図れる。
【００１８】
上記課題を解決するために，本発明の別の観点によれば，再生装置は，自身と通信接続される１又は２以上の携帯再生装置から，該携帯再生装置が記憶するコンテンツデータの一覧を示したリスト情報を受信することで，該携帯再生装置からのリスト情報を収集し；上記収集した携帯再生装置のリスト情報を，該リスト情報の保有元の携帯再生装置を識別する装置識別情報でひも付けて記憶し，そのリスト情報と当該再生装置自身が記憶するコンテンツデータのリスト情報とを含んだ全リスト情報を上記携帯再生装置に各々送信することを特徴とする通信方法が提供される。
【００１９】
本発明によれば，再生装置は，当該再生装置に通信接続している携帯再生装置から送信されるリスト情報を集め，再生装置自身のリスト情報とを合わせて全リスト情報を作成する。再生装置により作成された全リスト情報は各携帯再生装置の記憶部に格納される。また，再生装置は各携帯再生装置のリスト情報を装置識別情報とひも付けて自己の記憶部に格納する。かかる構成によれば，再生装置及び当該再生装置に通信接続している携帯再生装置が保有するコンテンツデータ全てを各装置が保有せず，当該全コンテンツデータに対応する識別情報が少なくとも記載された全リスト情報を各装置が各々保有するため，各装置の記憶容量に負担をかけずに，どの装置からでも全リスト情報を基にしてコンテンツデータを特定することができる。また，上記通信方法は，さらに，上記全リスト情報に記載されたコンテンツデータを識別する識別情報の中から少なくとも一つの識別情報の選択が上記携帯再生装置によって受付けられ，当該選択された識別情報に対応する選択コンテンツデータを選択受付け元の携帯再生装置が記憶しているとき，当該携帯再生装置上で当該選択コンテンツデータが再生され，その再生により生成される当該選択コンテンツデータの再生データを受信するように構成してもよい。
【００２０】
上記通信方法は，さらに，上記全リスト情報に記載されたコンテンツデータを識別する識別情報の中から少なくとも一つの識別情報の選択が上記携帯再生装置によって受付けられ，当該選択された識別情報に対応する選択コンテンツデータを選択受付け元の携帯再生装置が記憶しているとき，当該携帯再生装置上で当該選択コンテンツデータが再生され，その再生と並行して生成される当該選択コンテンツデータの再生データを受信するように構成してもよい。
【００２１】
上記通信方法は，さらに，上記全リスト情報に記載されたコンテンツデータを識別する識別情報の中から少なくとも一つの識別情報の選択を携帯再生装置によって受付けられ，当該選択された識別情報に対応する選択コンテンツデータを選択受付け元の携帯再生装置自身が記憶していないとき，当該選択コンテンツデータを再生するように命ずる再生命令を選択受付け元の携帯再生装置から受信し；上記再生装置は，自身が有する全リスト情報を参照することによって選択コンテンツデータを記憶する装置を特定し；上記特定した結果，選択コンテンツデータを記憶する装置が選択受付け元の携帯再生装置を除いた他の携帯再生装置であるとき，当該他の携帯再生装置に対して選択コンテンツデータの再生命令を送信するように構成してもよい。
【００２２】
上記通信方法は，さらに，上記全リスト情報に記載されたコンテンツデータを識別する識別情報の中から少なくとも一つの識別情報の選択を携帯再生装置によって受付けられ，当該選択された識別情報に対応する選択コンテンツデータを選択受付け元の携帯再生装置が記憶しているとき，選択受付け元の携帯再生装置からストリーミング形式で送信された当該選択コンテンツデータを受信するように構成してもよい。
【００２３】
上記ストリーミング形式で送信された選択コンテンツデータを再生し，当該コンテンツデータの再生によって生成される再生データを再生装置と通信接続される携帯再生装置に送信するように構成してもよい。
【００２４】
上記通信方法は，さらに，ストリーミング形式で送信された選択コンテンツデータの再生可否を判断し；判断した結果，選択コンテンツデータを再生できない場合，選択コンテンツデータを記憶する選択受付け元の携帯再生装置に対して当該選択コンテンツデータの再生命令を送信し，選択受付け元の携帯再生装置上で，再生命令に応じて選択コンテンツデータが再生され，それと並行して生成される当該選択コンテンツデータの再生データを受信するように構成してもよい。
【００２５】
上記受信した再生データを，再生装置と通信接続される携帯再生装置に送信するように構成してもよく，また上記受信した再生データを，再生装置と通信接続される選択受付け元の携帯再生装置を除いた携帯再生装置に送信するように構成してもよい。
【００２６】
ストリーミング形式で送信された選択コンテンツデータを受信し，当該選択コンテンツデータを上記再生装置に通信接続される携帯再生装置に送信するように構成してもよく，また上記ストリーミング形式で送信された選択コンテンツデータを受信し，当該選択コンテンツデータを上記再生装置に通信接続される選択受付け元の携帯再生装置を除いた携帯再生装置に送信するように構成してもよい。
【００２７】
上記通信方法は，さらに，上記携帯再生装置が記憶する全リスト情報に記載された識別情報が加工された場合に当該携帯再生装置から加工後の全リスト情報を受信し；再生装置自身が記憶する全リスト情報を加工後の全リスト情報に更新するように構成してもよい。
【００２８】
上記通信方法は，さらに再生装置に通信接続される携帯再生装置に加工後の全リスト情報を送信するように構成してもよい。
【発明の効果】
【００２９】
以上説明したように，本発明によれば，車内で通信接続された携帯再生装置および再生装置が保有するコンテンツデータを，当該携帯再生装置又は再生装置のいずれの装置からも再生をリクエストし，再生することができる。
【発明を実施するための最良の形態】
【００３０】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３１】
（１．コンテンツ再生システム）
まず，図１〜２を参照しながら，第１の実施の形態にかかるコンテンツ再生システム１００について説明する。図１は，第１の実施の形態にかかるコンテンツ再生システムを備えた自動車の概観の一例を示した説明図であり，図２は，第１の実施の形態にかかるコンテンツ再生システムの概略の一例を示した説明図である。
【００３２】
第１の実施の形態にかかるコンテンツ再生システム１００は，主として，コンテンツを再生し，音声及び／又は画像を出力するシステムである。なお，本実施の形態にかかるコンテンツは，音声（例えば，音楽），画像（例えば，写真画像），又はそれらの組み合わせからなる（例えば，映画，ゲーム）場合を例に挙げて説明するが，かかる例に限定されない。また，コンテンツをコンテンツデータ等と記載する場合もある。
【００３３】
図１に示す自動車５０にコンテンツ再生システムが設けられている。より具体的には，例えば，自動車５０の運転席付近（例えば，センターコンソール付近）や，ドアなどにコンテンツ再生システムが設けられている。
【００３４】
図２（ａ）に示すように，自動車５０の車内座席にはコンテンツ再生システム１００の構成要素として，複数の携帯再生装置１０７ａ，１０７ｂ，…，１０７ｎ，（以下では「携帯再生装置１０７」と総称する場合もある。）が備わっている。
【００３５】
また，自動車５０の先頭部には，コンテンツ再生システム１００の構成要素として複数の音声出力部１０５ａ，１０５ｂ（以下では「音声出力部１０５」と総称する場合もある。）と，センターコンソール付近には再生装置１０３が備わっている。
【００３６】
携帯再生装置１０７は，再生装置１０３と無線又は有線で通信可能となっており，携帯再生装置１０７は再生装置１０３に自己が有するコンテンツデータを送信し，例えば再生装置１０３から音声出力部１０５を介してそのコンテンツデータに係る音声を出力することができる。なお，本実施の形態にかかる音声出力部１０５は，例えば，スピーカー等を例示できる。
【００３７】
図２（ｂ）には，本実施の形態に係るコンテンツ再生システム１００の概略的な構成が示されている。コンテンツ再生システム１００は，再生装置１０３と，音声出力部１０５と，携帯再生装置１０７と，ネットワーク１０９とを少なくとも備えている。
【００３８】
なお，音声出力部１０５は，再生装置１０３と別体である場合を例に挙げて説明するが，かかる例に限定されず，例えば，音声出力部１０５は，再生装置１０３と一体である場合等でもよい。
【００３９】
図２に示す携帯再生装置１０７は，図３に示すように，自動車５０の車内では，ホルダ１０８に載置される。携帯再生装置１０７は，ネットワーク１０９と通信可能なように接続する。
【００４０】
ネットワーク１０９は，再生装置１０３と携帯再生装置１０７とを通信可能に接続するものであり，ＵＳＢケーブル等の有線である場合でも，無線である場合でもよい。さらに，図３に示すように，ネットワーク１０９は，データを送受信する用途のケーブル１０９ｂ（ＵＳＢケーブル等。）の他に，コンテンツデータのデコード後の再生データを携帯再生装置１０７から再生装置１０３に伝送する等の用途のケーブル１０９ａとから構成されても良い。
【００４１】
再生装置１０３は，コンテンツを再生することが可能な装置である。より具体的には，再生装置１０３は，例えば，コンテンツ再生機能を有するナビゲーション装置（又は，カーナビゲーション装置。）であるが，かかる例に限定されず，再生装置１０３は，コンテンツを再生だけでなく記録することが可能な装置でもよい。また，コンテンツを再生可能であれば，例えば車載用ゲーム機，車載用ＤＶＤ再生装置などで構成することもできる。
【００４２】
また，携帯再生装置１０７は，持ち運び可能であってコンテンツを再生することが可能な装置である。より具体的には，携帯再生装置１０７は，例えば，携帯電話であるが，かかる例に限定されない。例えば，携帯再生装置１０７は，ＰＤＡ（Ｐｅｒｓｏｎａｌ  Ｄｉｇｉｔａｌ  Ａｓｓｉｓｔａｎｔ），ノート型ＰＣ（パーソナルコンピュータ）等の場合でも良い。
【００４３】
（再生装置）
次に，図４を参照しながら，本実施の形態にかかる再生装置１０３について説明する。なお，図４は，本実施の形態にかかる再生装置１０３の概略的な構成を示すブロック図である。
【００４４】
図４に示すように，再生装置１０３は，ＣＰＵ（中央演算処理部）１３０と，バス１３１と，記憶部１３３と，入出力インタフェース１３５と，操作部１３６と，表示部１３７と，通信部１３９と，無線通信部１４０と，ドライブ１４１と，コンテンツ入力部１４３とを備える。
【００４５】
ＣＰＵ１３０は，制作端末装置１１４に構成する各部の処理・命令等を制御する。また，リスト情報とデバイスＩＤ（又は，装置識別情報）とをひも付けるひも付け処理等，コンテンツ再生に関する一連の処理を行うプログラムを起動及び実行等する。
【００４６】
記憶部１３３は，上記プログラム等を記憶する記憶装置であり，例えば，ハードディスクドライブ，ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などを例示することができる。
【００４７】
操作部１３６は，使用者から操作指示を受けることが可能な１又は２以上からなるボタン，トラックボール，トラックパッド，スタイラスペン，ダイアルログ，またはジョイスティックなどのポインティングデバイスなどからなるが，かかる例に限定されない。
【００４８】
表示部１３７は，少なくとも文学，コンサート，映画，またはスポーツなどの多種のジャンルに係るテキスト，音声，動画像，もしくは静止画像又はそれら任意の組み合わせなどを表示する。
【００４９】
バス１３１は，内部バス，メモリバス，入出力（Ｉ／Ｏ）バスなど再生装置１０３に構成されるバスの総称をいう。バス１３１は，各部から送出されたデータを，上記データの宛先である各部に伝送する。
【００５０】
通信部１３９は，有線からなるネットワーク１０９（１０９ｂ）を介して種々の情報を送信又は受信する。無線通信部１４０は，無線からなるネットワーク１０９を介して種々の情報を変復調し送信又は受信する。
【００５１】
ドライブ（コンテンツ再生部）１４１は，例えば，ＣＤまたはＤＶＤなどに記録されたコンテンツデータを再生するデバイスである。したがって，ＣＤまたはＤＶＤ等のメディアをトレイ上に裁置することで，ドライブ１４１は，上記メディアに記録されたコンテンツデータを読み取り，デコード等の処理を施すことで音声出力部１０５にコンテンツを出力することができる。
【００５２】
コンテンツ入力部１４３は，ネットワーク１０９ａを介して携帯再生装置１０７から送信される再生データの入力を受け付ける。なお，再生データは，例えば，携帯再生装置１０７によってコンテンツデータがデコード（又は，復号）されることで生成されるデータ（又は，信号）である。
【００５３】
ＣＰＵ（中央演算処理装置）１３０が，バス１３１を介してＲＯＭ（Ｒｅａｄ  Ｏｎｌｙ  Ｍｅｍｏｒｙ）１３２に記憶されているプログラムや，記憶部１３３からＲＡＭ（Ｒａｎｄｏｍ  Ａｃｃｅｓｓ  Ｍｅｍｏｒｙ）１３４に読み出したプログラム等に従って各種処理を実行する。
【００５４】
（携帯再生装置１０７）
次に，図５を参照しながら，本実施の形態にかかる携帯再生装置１０７について説明する。なお，図５は，本実施の形態にかかる携帯再生装置１０７の概略的な構成を示すブロック図である。
【００５５】
携帯再生装置１０７は，携帯型のコンテンツ再生装置であるポータブルデバイス（ＰＤ）である。より具体的には，携帯再生装置１０７は，例えば，数十ＭＢの記憶容量を有する携帯電話であるが，かかる例に限定されず，例えば，携帯再生装置１０７は，数十ＧＢの記憶容量を有するハードディスクドライブ（ＨＤＤ）を備えた携帯型オーディオプレーヤ，携帯型映像／音声プレーヤ，ＰＤＡなど，各種の携帯可能な装置であってもよい。
【００５６】
図５に示すように，携帯再生装置１０７は，ＣＰＵ２００と，バス２０１と，記憶部２０３と，入出力インタフェース２０５と，操作部２０６と，出力部２０７と，通信部２０９と，無線通信部２１０と，コンテンツ出力部２１２とを備える。
【００５７】
なお，図５に示すＣＰＵ２００，バス２０１，記憶部２０３，入出力インタフェース２０５，操作部２０６，通信部２０９，無線通信部２１０は，図４に示す再生装置１０３に備わるものと実質的に同一であるため詳細な説明は省略する。
【００５８】
上記出力部２０７には，映像又はビデオを表示するディスプレイ（表示画面）と，音声を出力するスピーカー等が備わっている。
【００５９】
上記コンテンツ出力部２１２は，コンテンツデータをデコードすることで生成される再生データをネットワーク１０９を介して外部に出力する。例えば，コンテンツデータ出力部２１２から出力された再生データが再生装置１０３に送信され，その再生データが再生装置１０３の音声出力部１０５に出力される。
【００６０】
（再生装置におけるプログラム）
次に，図６を参照しながら，本実施の形態にかかる再生装置１０３に適用される各種モジュールについて説明する。図６は，本実施の形態にかかる再生装置１０３に適用される各種モジュールの概略を示す説明図である。
【００６１】
図６に示すように，本実施の形態にかかる再生装置１０３を処理／動作させるプログラムには複数のモジュールが存在している。上記モジュールは，例えば，再生装置１０３に備わる記憶部１３３に予め記録され，必要に応じてＲＡＭ１３４等に書き込まれて，実行される。
【００６２】
再生装置１０３を処理／動作させるプログラムは，図６に示すように，リスト情報を収集する収集モジュール６０１と，特定モジュール６０３と，再生モジュール６０５と，ひも付けモジュール６０７と，送信モジュール６０９と，受信モジュール６１１と，表示モジュール６１３と，出力モジュール６１５と，加工モジュール６１７と，受付けモジュール６１９と，再生命令モジュール（又は，再生指示部）６２１とから少なくとも構成される。
【００６３】
上記特定モジュール６０３は，再生装置１０３が有するひも付けされた全リスト情報を基にして再生要求のあったコンテンツデータを保有する携帯再生装置１０７を特定するモジュールである。なお，全リスト情報，ひも付け処理については後程述べる。
【００６４】
再生モジュール６０５は，コンテンツデータをデコードすることで生成された再生データを例えば表示モジュール６１３又は出力モジュール６１５等に渡す。
【００６５】
ひも付けモジュール６０７は，受け取ったリスト情報と，そのリスト情報を保有する携帯再生装置１０７のデバイスＩＤとをひも付けて全リスト情報を作成し，記憶部１３３に格納する。
【００６６】
送信モジュール６０９は，再生モジュール６０５でデコードされた再生データを携帯再生装置１０７に送信する，コンテンツデータをそのまま送信する，またはその他の情報を外部に送信する。
【００６７】
上記表示モジュール６１３は，デコードされた再生データに従って表示部１３７に動画像又は静止画像を表示する。同様に出力モジュール６１５は，デコードされた再生データに従い音声出力部１０５に音声を出力する。
【００６８】
加工モジュール６１７は，外部の携帯再生装置１０７が保有する全リスト情報が変更されると，それに伴い再生装置１０３自身が保有する全リスト情報も変更するモジュールである。なお，加工モジュール６１７は，外部の全リスト情報の変更に伴わずに自身が保有する全リスト情報を変更する場合も可能である。
【００６９】
受付けモジュール６１９は，操作部１３６で利用者の操作によって入力された指示を認識し，その指示内容に適する各部に指示情報を転送するモジュールである。例えば，受付けモジュール６１９は，利用者から操作部１３６を介してコンテンツの再生要求があると，そのコンテンツを識別する識別情報（タイトルなど）が記載された再生指示情報を再生モジュール６０５に転送する。
【００７０】
再生命令モジュール６２１は，再生装置１０３自身でデコードすることができない場合など，ネットワーク１０９で接続された外部の携帯再生装置１０７にコンテンツを再生するように命令する再生命令を送信するモジュールである。
【００７１】
図６に示す上記各種モジュール（収集モジュール６０１〜再生命令モジュール６２１）は，ＣＰＵ１３０により，記憶部１３３からＲＡＭ１３４に呼び出され，記憶され，各処理が実行される。
【００７２】
（データ構造について）
次に，図７を参照しながら，本実施の形態にかかる再生装置１０３におけるデータ構造について説明する。図７は，本実施の形態にかかる再生装置１０３におけるデータ構造の概略の一例を示す説明図である。
【００７３】
図７に示すように，記憶部１３３には，コンテンツ１，２，３，…と複数のコンテンツデータ３０４（以下，単にコンテンツデータ又はコンテンツと記載する。）と，当該コンテンツデータ３０４を識別する識別情報が記載されたリスト情報３０２と，全リスト情報３０８とが記憶されている。
【００７４】
上記リスト情報３０２は，記憶部１３３に記憶されたコンテンツデータ３０４と一対一対応する識別情報が１又は２以上記載されている。したがって，識別情報を指定すれば，一意にコンテンツデータ３０４を特定することができる。なお，本実施の形態にかかる識別情報は，例えば，コンテンツデータのタイトルを例示することができるが，かかる例に限定されず，例えば，識別情報は，１又は２桁以上からなるＩＤ番号等の場合でもよい。
【００７５】
上記全リスト情報３０８は，再生装置１０３のみならず，当該再生装置１０３とネットワーク１０９と通信接続された全ての携帯再生装置１０７が記憶するリスト情報から構成されたリスト情報である。なお，ネットワーク１０９に通信接続する携帯再生装置１０７全てからリスト情報が集められることで全リスト情報が作成されるが，かかる例に限定されず，例えば，ネットワーク１０９に通信接続していても予め他の携帯再生装置１０７等とデータ送受信しない携帯再生装置１０７が存在する場合，その携帯再生装置１０７を除く携帯再生装置１０７全てのリスト情報から全リスト情報が作成されても良い。
【００７６】
つまり，全リスト情報３０８には，再生装置１０３及び通信接続された外部の携帯再生装置１０７が記憶するコンテンツデータ全てを識別可能な識別情報が記載されている。さらに，再生装置１０３が記憶する全リスト情報３０８のうち携帯再生装置１０７が記憶するリスト情報の識別情報の部分は，そのリスト情報を保有する携帯再生装置１０７のデバイスＩＤと関連付けられて（ひも付けられて）いる。詳細は後述する。
【００７７】
また，本実施の形態にかかる全リスト情報３０８は，リスト情報３０２とは異なる別のリスト情報である場合を例に挙げて説明したが，かかる例に限定されず，例えば，リスト情報３０２を一体化させて全リスト情報３０８のみの場合でも良い。
【００７８】
続いて，図８を参照しながら，本実施の形態にかかる再生装置１０３が記憶する全リスト情報３０８について説明する。図８は，本実施の形態にかかる再生装置が記憶する全リスト情報の概略の一例を示す説明図である。
【００７９】
図８に示すように，全リスト情報３０８は，デバイスＩＤ（Ａ１，Ｂ３，Ｂ３，…）と識別情報（コンテンツｊ，コンテンツｋ，コンテンツｌ，…）とがひも付けられて記憶部１３３に記憶されている。なお，デバイスＩＤは，例えば，製造時にラベリングされる携帯再生装置１０７を識別する固有のＩＤであるが，かかる例に限定されない。
【００８０】
上記全リスト情報３０８がデバイスＩＤと識別情報とがひも付けられることで，識別情報に対応するコンテンツデータを保有する携帯再生装置１０７を特定することができる。図８に示すように，例えば，識別情報であるタイトル名が“コンテンツｍ”のコンテンツデータを保有しているのは，デバイスＩＤ“Ｂ３”である携帯再生装置１０７である。
【００８１】
ひも付けモジュール６０７は，携帯再生装置１０７から送信されるリスト情報とともにその携帯再生装置１０７が保有するデバイスＩＤも一緒に受け取り，リスト情報とデバイスＩＤとをひも付け，記憶部１３３に全リスト情報３０８として記憶していく。
【００８２】
（携帯再生装置においけるプログラム）
次に，図９を参照しながら，本実施の形態にかかる携帯再生装置１０７に適用される各種モジュールについて説明する。図９は，本実施の形態にかかる携帯再生装置１０７に適用される各種モジュールの概略を示す説明図である。
【００８３】
図６に示すように，本実施の形態にかかる携帯再生装置１０７を処理／動作させるプログラムには複数のモジュールが存在している。上記モジュールは，例えば，携帯再生装置１０７に備わる記憶部２０３に予め記録され，必要に応じてＲＡＭ２０４等に書き込まれて，実行される。
【００８４】
携帯再生装置１０７を処理／動作させるプログラムは，図９に示すように，送信モジュール９０１と，受信モジュール９０３と，加工モジュール９０５と，再生モジュール９０７と，出力モジュール９０９と，表示モジュール９１１と，受付けモジュール９１３と，検索モジュール９１５と，再生命令モジュール（又は，再生指示部）９１７とから少なくとも構成される。
【００８５】
なお，上記送信モジュール９０１，受信モジュール９０３，加工モジュール９０５，再生モジュール９０７，出力モジュール９０９，表示モジュール９１１，受付けモジュール９１３，および再生命令モジュール９１７は，上記説明した再生装置１０３に記憶されたモジュールと実質的に同一であるため詳細な説明は省略する。
【００８６】
検索モジュール９１５は，受付けモジュール９１３が操作部２０６を介して受付けた再生要求のあったコンテンツデータを自装置内の記憶部２０７から検索するモジュールである。検索した結果，当該コンテンツデータが存在した場合，検索モジュール９１５は，再生モジュール９０７にデコードを依頼し，存在しない場合，再生命令モジュール９１７に再生装置１０３に対し再生命令を送信するように依頼する。
【００８７】
図９に示す上記各種モジュール（送信モジュール９０１〜再生命令モジュール９１７）は，ＣＰＵ２００により，記憶部２０３からＲＡＭ２０４に呼び出され，記憶され，各処理が実行される。
【００８８】
（データ構造）
次に，図１０を参照しながら，本実施の形態にかかる携帯再生装置１０７におけるデータ構造について説明する。図１０は，本実施の形態にかかる携帯再生装置１０７におけるデータ構造の概略の一例を示す説明図である。
【００８９】
図１０に示すように，携帯再生装置１０７に備わる記憶部２０３には，コンテンツＡ，Ｂ，Ｃ，…と複数のコンテンツデータ（以下，単にコンテンツデータ又はコンテンツと記載する。）３０３と，当該コンテンツデータ３０３を識別する識別情報が記載されたリスト情報３０１と，全リスト情報３０７と，デバイスＩＤ３０５とが記憶されている。
【００９０】
なお，上記リスト情報３０１は，上記再生装置１０３におけるリスト情報３０２と実質的に同一であるため，詳細な説明は省略する。
【００９１】
全リスト情報３０７は，上記全リスト情報３０８と比較して，デバイスＩＤと識別情報とが関連付けられていない点を除けば，ほぼ同様な構成であるため，詳細な説明は省略する。
【００９２】
デバイスＩＤ３０５は，例えば，製造時にＲＯＭ１３２又は記憶部２０３等に格納される携帯再生装置１０７を一意に特定することが可能な固有のＩＤであるが，かかる例に限定されない。
【００９３】
（全リスト情報作成処理）
次に，図１１を参照しながら，本実施の形態に係る全リスト情報を作成する処理について説明する。なお，図１１は，本実施の形態にかかる全リスト情報作成処理の概略を示すシーケンス図である。
【００９４】
図１１（ａ）に示すように，再生装置１０３にはリスト情報３０２が記憶されており，携帯再生装置１０７ａにはリスト情報３０１ａが記憶されており，携帯再生装置１０７ｃにはリスト情報３０１ｃが記憶されている。
【００９５】
次に，図１１（ｂ）に示すように，携帯再生装置１０７ｃがネットワーク１０９によって上記再生装置１０３と接続すると，携帯再生装置１０７ｃと再生装置１０３との通信コネクションが確立する。
【００９６】
上記コネクションの確立後，携帯再生装置１０７ｃからリスト情報３０１ｃが再生装置１０３に送信され，再生装置１０３からはリスト情報３０２が携帯再生装置１０７ｃに送信される。携帯再生装置１０７から再生装置１０３に送信されるリスト情報３０１ｃの送信情報のヘッダ部分等にはデバイスＩＤが格納されている。
【００９７】
次に，図１１（ｃ）に示すように，携帯再生装置１０７ｃ内の受信モジュール９０３等が再生装置１０３からリスト情報３０２を受け取ると，自己の記憶部２０３に記憶されたリスト情報３０１ｃにリスト情報３０２を追加する。
【００９８】
同じく，再生装置１０３内の受信モジュール６１１等がリスト情報３０１ｃを受信すると，ひも付けモジュール６０７は，受け取ったヘッダ等の部分に記載されているデバイスＩＤと受け取ったリスト情報３０１ｃとをひも付け，リスト情報３０１ｃをリスト情報３０２に追加する。なお，この際，再生装置１０３のひも付けモジュール６０７は，携帯再生装置１０７とネットワーク１０９を介して通信接続された際の再生装置１０３側のポート番号や，接続端子等とデバイスＩＤとを対応付けて記憶してもよい。
【００９９】
さらに，図１１（ｄ）に示すように，携帯再生装置１０７ａがネットワーク１０９によって上記再生装置１０３と接続すると，携帯再生装置１０７ａと再生装置１０３との通信コネクションが確立する。
【０１００】
上記コネクションの確立後，携帯再生装置１０７ａからリスト情報３０１ａが再生装置１０３に送信され，再生装置１０３からはリスト情報３０２及びリスト情報３０１ａが携帯再生装置１０７ｃに送信される。携帯再生装置１０７ａから再生装置１０３に送信されるリスト情報３０２及びリスト情報３０１ａからなる送信情報のヘッダ部分等にはデバイスＩＤが格納されている。
【０１０１】
また，既にネットワーク１０９で通信接続している携帯再生装置１０７ｃには，携帯再生装置１０７ａが保有するリスト情報３０１ａが，再生装置１０３から送信される。
【０１０２】
次に，図１１（ｅ）に示すように，携帯再生装置１０７ａ内の受信モジュール９０３等が再生装置１０３からリスト情報３０１ｃ及びリスト情報３０２を受け取ると，自己の記憶部２０３に記憶されたリスト情報３０１ａにリスト情報３０１ｃ及びリスト情報３０２を追加することで全リスト情報３０７を作成する。同じく，携帯再生装置１０７ｃも全リスト情報３０７を作成する。
【０１０３】
再生装置１０３内の受信モジュール６１１等がリスト情報３０１ａを受信すると，上記説明の通り，受け取った送信情報等の部分に記載されているデバイスＩＤと，受け取ったリスト情報３０１ａとをひも付け，リスト情報３０１ａを，リスト情報３０１ｃが追加されたリスト情報３０２にさらに追加することで，全リスト情報３０８を作成する。なお，この際，再生装置１０３のひも付けモジュール６０７は，携帯再生装置１０７ａとネットワーク１０９を介して通信接続された際の携帯再生装置１０７ａのポート番号又は接続端子ＩＤ等とデバイスＩＤとを対応付けて記憶してもよい。以上で，本実施の形態にかかる全リスト情報を作成する一連の処理の説明が終了する。
【０１０４】
かかる全リスト情報の作成によって，再生装置１０３が全リスト情報を保持するのみならず，当該全リスト情報が再生装置１０３と通信接続する携帯再生装置１０７にも分散して，各携帯再生装置１０７が記憶することができる。したがって，携帯再生装置１０７から再生装置１０３または他の携帯再生装置１０７が保有するコンテンツを再生することをリクエスト等できる。
【０１０５】
なお，本実施の形態にかかる全リスト情報の作成処理では，再生装置１０３に通信接続された携帯再生装置１０７が保有するリスト情報を再生装置１０３が受け取り，再生装置１０３自身が保有するリスト情報を携帯再生装置１０７のリスト情報に追加させて，携帯再生装置１０７から受け取ったリスト情報を再生装置１０３自身のリスト情報に追加する処理を，通信接続された携帯再生装置１０７ごとに順番に行い，最後の携帯再生装置１０７のリスト情報を再生装置１０３のリスト情報に追加すると携帯再生装置１０７及び再生装置１０３の全リスト情報が作成される場合を例に挙げて説明したが，かかる例に限定されない。例えば，本実施の形態にかかる全リスト情報の作成処理では，再生装置１０３に通信接続された各携帯再生装置１０７のリスト情報全てを，再生装置１０３が受け取り，再生装置１０３自身のリスト情報に上記各携帯再生装置１０７のリスト情報全てを追加することで，一旦再生装置１０３側で全リスト情報を作成し，その全リスト情報を再生装置１０３が各携帯再生装置１０７に対して配信することで各携帯再生装置１０７に分散して全リスト情報を保有させる場合等でも良い。
【０１０６】
次に，図１２を参照しながら，本実施の形態にかかるコンテンツを再生する処理について説明する。なお，図１２は，本実施の形態にかかるコンテンツ再生処理の概略を示すシーケンス図である。
【０１０７】
コンテンツがオーディオ又は映像である場合に限らず，コンテンツを再生する処理は，図１２に示すように，まず，携帯再生装置１０７に備わる操作部２０６を介して受付けモジュール９１３が全リスト情報３０７に記載されたコンテンツの再生を受付ける（Ｓ１２０１）。なお，上記コンテンツの再生を受付ける処理（Ｓ１２０１）は，再生装置１０３が実行してもよく，また再生装置１０３，各携帯再生装置１０７は全リスト情報３０７，３０８を保有しているものとする。
【０１０８】
次に，再生要求を受付けた携帯再生装置１０７ｃは，自己が記憶するコンテンツデータであるか否かを確認するため，記憶部２０３に記憶されたコンテンツデータの中から該当するコンテンツデータを検索する（Ｓ１２０３）。
【０１０９】
検索した結果，コンテンツデータが存在していた場合，携帯再生装置１０７は上記コンテンツデータをデコードし，再生データを再生装置１０３に送信する（Ｓ１２０５）。再生装置１０３は，再生データを受信し，そのまま音声出力部１０５又は表示部１３７に出力する。
【０１１０】
一方，同様に，携帯再生装置１０７ａがコンテンツデータの再生を受付け（Ｓ１２０７），コンテンツデータを検索すると（Ｓ１２０９），自己の記憶部２０３に当該コンテンツデータが存在しない場合，再生命令モジュール９１７が再生命令を生成し，再生装置１０３に送信する（Ｓ１２１１）。
【０１１１】
再生装置１０３が上記再生命令を受信すると，特定モジュール６０３は，全リスト情報３０８を基にして，上記再生命令に記載されたコンテンツの識別情報を検索する。検索した結果，識別情報を検出すると，その識別情報と一対一に対応するデバイスＩＤを基に携帯再生装置１０７を特定する（Ｓ１２１３）。
【０１１２】
次に，再生装置１０３の再生命令モジュール６２１は，再生要求のあったコンテンツデータを保有する携帯再生装置１０７に対して，コンテンツデータを再生するよう再生命令を送信する（Ｓ１２１５）。
【０１１３】
なお，再生命令のヘッダ等には，再生要求先の携帯再生装置１０７のデバイスＩＤが設定されている。その設定されたデバイスＩＤに該当する携帯再生装置１０７が再生命令を受信すると，コンテンツデータをデコードする。
【０１１４】
再生命令モジュール６２１は，再生装置１０３に通信接続する携帯再生装置１０７全てに再生命令を送信する場合でもよく，また再生装置１０３からポーリング等し，該当するデバイスＩＤの携帯再生装置１０７とコネクション確立した後，個別に再生命令を送信する場合などでもよい。
【０１１５】
再生命令後，携帯再生装置１０７から再生データを受信すれば，その再生データをそのまま音声出力部１０５又は表示部１３７に出力する（Ｓ１２１７）。
【０１１６】
（音声再生処理）
次に，図１３を参照しながら，コンテンツがオーディオである場合の再生処理について説明する。なお，図１３は，コンテンツがオーディオである場合のコンテンツ再生処理の概略を示すシーケンス図である。なお，再生装置１０３は全リスト情報３０８を，携帯再生装置１０７は全リスト情報３０７を保有している。
【０１１７】
まず，図１３に示すように，携帯再生装置１０７ａに備わる操作部２０６を介して受付けモジュール９１３が全リスト情報３０８に記載されたコンテンツ（オーディオ１Ｂ）の再生を受付ける（Ｓ１３０１）。
【０１１８】
次に，再生要求を受付けた携帯再生装置１０７ａは，自己が記憶するコンテンツデータであるか否かを確認するため，記憶部２０３に記憶されたコンテンツデータの中から該当するコンテンツデータを検索する。
【０１１９】
検索した結果，コンテンツデータが存在しない場合，再生命令モジュール９１７が再生命令を生成し，再生装置１０３に送信する（Ｓ１３０３）。
【０１２０】
再生装置１０３が上記再生命令を受信すると，特定モジュール６０３は，全リスト情報３０８を基にして，上記再生命令に記載されたコンテンツの識別情報を検索する。検索した結果，識別情報を検出すると，その識別情報と一対一に対応するデバイスＩＤを基に携帯再生装置１０７を特定する（Ｓ１３０６）。
【０１２１】
次に，再生装置１０３の再生命令モジュール６２１は，再生要求のあったコンテンツデータを保有する携帯再生装置１０７ｃに対して，コンテンツデータを再生するよう再生命令を送信する（Ｓ１３０９）。
【０１２２】
再生装置１０３から再生命令を受けた携帯再生装置１０７ｃは再生命令に設定された識別情報に適合するコンテンツデータ（オーディオ１Ｂデータ）を記憶部２０３から読み出し，そのコンテンツデータをデコードせずに，ストリーミング形式で再生装置１０３に送信する（Ｓ１３１１）。
【０１２３】
再生装置１０３の再生モジュール６０５は，上記ストリーミング形式のコンテンツデータを受けると，まず音楽コンテンツであることを確認する（Ｓ１３１３）。
【０１２４】
次に，再生モジュール６０５は，そのコンテンツデータ（オーディオ１Ｂデータ）をデコード可能であるか否かを判断する（Ｓ１３１５）。判断した結果，デコード不可能である場合，再生命令モジュール６２１は，送信元の携帯再生装置１０７ｃに対し，オーディオ１Ｂデータをデコードするよう命令する（Ｓ１３１７）。
【０１２５】
携帯再生装置１０７ｃは，再生装置１０３からデコード指示を受けると（Ｓ１３１７），上記オーディオ１Ｂデータをデコードし（Ｓ１３１９），デコードされたオーディオ１Ｂデータ（再生データ）を再生装置１０３に送信する（Ｓ１３２１）。なお，再生データは携帯再生装置１０７ｃの出力部２０７に出力されてもよい。
【０１２６】
なお，本実施の形態にかかる再生モジュール９０７がコンテンツデータをデコードしてから，送信モジュール９０７が再生データを再生装置１０３に送信する場合を例に挙げて説明したが，かかる例に限定されず，例えば，再生モジュール９０７がコンテンツデータをデコードするのと並行してデコード後のコンテンツデータ（再生データ）を送信モジュール９０１が再生装置１０３に送信しても良い。かかる処理によって送信処理の時間を短縮することができる。
【０１２７】
一方，判断した結果（Ｓ１３１５），デコード可能であると判断すると，再生モジュール６０５は，上記オーディオ１Ｂデータをデコードする（Ｓ１３２３）。
【０１２８】
最後に，携帯再生装置１０７ｃ又は自己（再生装置１０３）からの再生データを音声出力（Ｓ１３２５）して，コンテンツデータがオーディオである場合の再生処理の一連の動作が終了する。
【０１２９】
（画像再生処理：再生装置がデコードする場合）
次に，図１４を参照しながら，第１の実施の形態にかかるコンテンツがビデオ（又は，映像）である場合の再生処理について説明する。なお，図１４は，第１の実施の形態に係るコンテンツがビデオである場合のコンテンツ再生処理の概略を示すシーケンス図である。なお，再生装置１０３は全リスト情報３０８を，携帯再生装置１０７は全リスト情報３０７を保有している。
【０１３０】
図１４に示すように，携帯再生装置１０７ａに備わる操作部２０６を介して受付けモジュール９１３が全リスト情報３０８に記載されたコンテンツ（ビデオ１Ａ）の再生を受付ける（Ｓ１４０１）。
【０１３１】
次に，再生要求を受付けた携帯再生装置１０７ａは，自己が記憶するコンテンツデータであるか否かを確認するため，記憶部２０３に記憶されたコンテンツデータの中から該当するコンテンツデータを検索する。
【０１３２】
検索した結果，コンテンツデータが存在しない場合，再生命令モジュール９１７が再生命令を生成し，再生装置１０３に送信する（Ｓ１４０３）。
【０１３３】
再生装置１０３が上記再生命令を受信すると，特定モジュール６０３は，全リスト情報３０８を基にして，上記再生命令に記載されたコンテンツの識別情報（ビデオ１Ａ）を検索する。検索した結果，識別情報を検出すると，その識別情報と一対一に対応するデバイスＩＤを基に携帯再生装置１０７を特定する（Ｓ１４０５）。
【０１３４】
次に，再生装置１０３の再生命令モジュール６２１は，再生要求のあったコンテンツデータを保有する携帯再生装置１０７ｃに対して，コンテンツデータを再生するよう再生命令を送信する（Ｓ１４０７）。
【０１３５】
再生装置１０３から再生命令を受けた携帯再生装置１０７ｃは再生命令に設定された識別情報に適合するコンテンツデータ（ビデオ１Ａデータ）を記憶部２０３から読み出し，そのコンテンツデータをまずはデコードせずに，ストリーミング形式で再生装置１０３に送信する（Ｓ１４１１）。
【０１３６】
再生装置１０３の再生モジュール６０５は，上記ストリーミング形式のコンテンツデータを受けると，まず映像コンテンツであることを確認する（Ｓ１４１３）。
【０１３７】
次に，再生モジュール６０５は，そのコンテンツデータ（オーディオ１Ｂデータ）をデコード可能であるか否かを判断する（Ｓ１４１５）。判断した結果，デコード不可能である場合，再生命令モジュール６２１は，送信元の携帯再生装置１０７ｃに対し，ビデオ１Ａデータをデコードするよう命令する（Ｓ１４１７）。
【０１３８】
携帯再生装置１０７ｃは，再生装置１０３からデコード指示を受けると（Ｓ１４１９），上記ビデオ１Ａデータをデコードし（Ｓ１４２１），デコードされたビデオ１Ａデータ（再生データ）を再生装置１０３に送信する（Ｓ１４２３）。なお，再生データは携帯再生装置１０７ｃの出力部２０７に映像が表示されてもよい。
【０１３９】
なお，本実施の形態にかかる再生モジュール９０７がコンテンツデータをデコードしてから，送信モジュール９０７が再生データを再生装置１０３に送信する場合を例に挙げて説明したが，かかる例に限定されず，例えば，再生モジュール９０７がコンテンツデータをデコードするのと並行してデコード後のコンテンツデータ（再生データ）を送信モジュール９０１が再生装置１０３に送信しても良い。かかる処理によって送信処理の時間を短縮することができる。
【０１４０】
また，携帯再生装置１０７ｃは，ストリーミング形式のコンテンツデータ（ビデオ１Ａデータ）を送信後，所定時間経過してもデコード指示が無い場合（Ｓ１４１７），デコードの指示が無いと判断し（Ｓ１４１９），再生装置１０３からの再生データを待つ。
【０１４１】
一方，デコード可否を判断した結果（Ｓ１４１５），デコード可能であると判断すると，再生モジュール６０５は，上記オーディオ１Ｂデータをデコードする（Ｓ１４２５）。
【０１４２】
携帯再生装置１０７ｃ又は再生装置１０３によってビデオ１Ａデータがデコードされることで，生成された再生データは，通信接続された各携帯再生装置１０７に送信される（Ｓ１４２７）。
【０１４３】
最後に，携帯再生装置１０７ｃ又は自己（再生装置１０３）によって生成された再生データを映像出力（Ｓ１４２９）して，コンテンツデータがビデオである場合の再生処理の一連の動作が終了する。
【０１４４】
（画像再生処理：携帯再生装置がデコードする場合）
次に，図１５を参照しながら，第２の実施の形態にかかるコンテンツがビデオである場合の再生処理について説明する。なお，図１５は，第２の実施の形態に係るコンテンツがビデオである場合のコンテンツ再生処理の概略を示すシーケンス図である。なお，再生装置１０３は全リスト情報３０８を，携帯再生装置１０７は全リスト情報３０７を保有している。
【０１４５】
また，第２の実施の形態にかかるコンテンツがビデオである場合の再生処理の説明では，第１の実施の形態にかかるコンテンツがビデオである場合のコンテンツ再生処理との相違点について詳細に説明し，その他の点については，実質的に同一であるとして説明を省略する。
【０１４６】
図１５に示すように，携帯再生装置１０７ａに備わる操作部２０６を介して受付けモジュール９１３が全リスト情報３０８に記載されたコンテンツ（ビデオ１Ａ）の再生を受付ける（Ｓ１５０１）。
【０１４７】
次に，再生要求を受付けた携帯再生装置１０７ａは，自己が記憶するコンテンツデータであるか否かを確認するため，記憶部２０３に記憶されたコンテンツデータの中から該当するコンテンツデータを検索する。
【０１４８】
検索した結果，コンテンツデータが存在しない場合，再生命令モジュール９１７が再生命令を生成し，再生装置１０３に送信する（Ｓ１５０３）。
【０１４９】
再生装置１０３が上記再生命令を受信すると，特定モジュール６０３は，全リスト情報３０８を基にして，上記再生命令に記載されたコンテンツの識別情報（ビデオ１Ａ）を検索する。検索した結果，識別情報を検出すると，その識別情報と一対一に対応するデバイスＩＤを基に携帯再生装置１０７を特定する（Ｓ１５０５）。
【０１５０】
次に，再生装置１０３の再生命令モジュール６２１は，再生要求のあったコンテンツデータを保有する携帯再生装置１０７ｃに対して，コンテンツデータを再生するよう再生命令を送信する（Ｓ１５０７）。
【０１５１】
再生装置１０３から再生命令を受けた携帯再生装置１０７ｃは再生命令に設定された識別情報に適合するコンテンツデータ（ビデオ１Ａデータ）を記憶部２０３から読み出し，そのコンテンツデータをデコードせずに，ストリーミング形式で再生装置１０３に送信する（Ｓ１５１１）。
【０１５２】
再生装置１０３の再生モジュール６０５は，上記ストリーミング形式のコンテンツデータを受けると，まず映像コンテンツであることを確認し（Ｓ１５１３），ストリーミング形式のビデオ１Ａデータを受信する。
【０１５３】
上記ストリーミング形式のビデオ１Ａデータを受信が終了すると，送信モジュール６０９が各携帯再生装置１０７に対してストリーミング形式のビデオ１Ａデータを送信すると共に，再生命令モジュール６２１が各携帯再生装置１０７に対して再生するように命令する（Ｓ１５１５）。
【０１５４】
なお，第２の実施の形態にかかる送信処理（Ｓ１５１５）では，ビデオ１Ａデータの保有元の携帯再生装置１０７ｃに対してもビデオ１Ａデータを送信する場合を例に挙げて説明したが，かかる例に限定されず，例えば，携帯再生装置１０７ｃ以外の各携帯再生装置１０７にコンテンツデータを送信する場合等でも実施可能である。
【０１５５】
次に，各携帯再生装置１０７は，上記ビデオ１Ａデータをデコードし（Ｓ１５１７），各携帯再生装置１０７に備わる出力部２０７に映像，音声を出力する。以上で，第２の実施の形態にかかるコンテンツデータがビデオである場合の再生処理の一連の動作が終了する。
【０１５６】
なお，第２の実施の形態にかかる再生モジュール９０７がコンテンツデータをデコードしてから，出力部２０７に映像，音声を出力する場合を例に挙げて説明したが，かかる例に限定されず，例えば，再生モジュール９０７がコンテンツデータをデコードするのと並行してデコード後のコンテンツデータ（再生データ）を出力部２０７に映像，音声を出力しても良い。かかる処理によって出力部２０７に出力するまでの時間を短縮することができる。
【０１５７】
以上，本実施の形態にかかるコンテンツ再生システム１００の説明を終了するが，かかるコンテンツ再生システム１００には，以下に示すような優れた効果がある。
（１）コンテンツ再生システム１００に備わる再生装置１０３または再生装置１０３と通信接続した１又は２以上の携帯再生装置１０７の各装置に全リスト情報を分散し，共有することができる。
（２）どの装置にコンテンツデータが記憶されているのかを利用者は意識せず，再生装置１０３のみならず携帯再生装置１０７もコンテンツデータを再生するようリクエストを利用者から受付け，再生装置１０３又は携帯再生装置１０７がコンテンツを再生することができる。
（３）携帯再生装置１０７にのみ記憶されたコンテンツデータを再生装置１０３で再生する場合でも，利用者はいちいち携帯再生装置１０７から再生装置１０３にコンテンツデータを転送又はメディアなどを移し変える作業を要せず，利用者は単にコンテンツデータを指定するだけで，所望のコンテンツデータを再生させることができる。したがって，コンテンツデータが不正に携帯再生装置１０７から再生装置１０３にコピーされる等の危険性を低減することもできる。
【０１５８】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置を再生装置１０３及び／又は携帯再生装置１０７として機能させる。
【０１５９】
プログラムは，コンピュータに内蔵されている記録媒体としてのハードディスクやＲＯＭに予め記録しておくことができる。あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。
【０１６０】
なお，プログラムは，上述したようなリムーバブル記録媒体１１１からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを，内蔵するハードディスク等にインストールすることができる。
【０１６１】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。また，プログラムは，１のコンピュータにより処理されるものであっても良いし，複数のコンピュータによって分散処理されるものであっても良い。
【０１６２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１６３】
上記実施形態においては，コンテンツ再生システム１００では，再生装置１０３と携帯再生装置１０７でコンテンツデータを送受信する際，データがストリーミング形式の場合を例に挙げて説明したが，かかる例に限定されず，例えば，コンテンツ再生システム１００では，再生装置１０３と携帯再生装置１０７でコンテンツデータを送受信する際，データがストリーミング形式以外のファイル形式などでも実施可能である。
【産業上の利用可能性】
【０１６４】
本発明は，コンテンツ再生方法，通信方法，再生装置，携帯再生装置，車両，およびコンピュータプログラムに適用可能である。
【図面の簡単な説明】
【０１６５】
【図１】第１の実施の形態にかかるコンテンツ再生システムを備えた自動車の概観の一例を示した説明図である。
【図２】第１の実施の形態にかかるコンテンツ再生システムの概略の一例を示した説明図である。
【図３】第１の実施の形態にかかる携帯再生装置がホルダにセットされた概略的な構成を示す説明図である。
【図４】本実施の形態にかかる再生装置の概略的な構成を示すブロック図である。
【図５】本実施の形態にかかる携帯再生装置の概略的な構成を示すブロック図である。
【図６】本実施の形態にかかる再生装置に適用される各種モジュールの概略を示す説明図である。
【図７】本実施の形態にかかる再生装置におけるデータ構造の概略の一例を示す説明図である。
【図８】本実施の形態にかかる再生装置が記憶する全リスト情報の概略の一例を示す説明図である。
【図９】本実施の形態にかかる携帯再生装置に適用される各種モジュールの概略を示す説明図である。
【図１０】本実施本実施の形態にかかる携帯再生装置におけるデータ構造の概略の一例を示す説明図である。
【図１１】本実施の形態にかかる全リスト情報作成処理の概略を示すシーケンス図である。
【図１２】本実施の形態にかかるコンテンツ再生処理の概略を示すシーケンス図である。
【図１３】コンテンツがオーディオである場合のコンテンツ再生処理の概略を示すシーケンス図である。
【図１４】第１の実施の形態に係るコンテンツがビデオである場合のコンテンツ再生処理の概略を示すシーケンス図である。
【図１５】第２の実施の形態に係るコンテンツがビデオである場合のコンテンツ再生処理の概略を示すシーケンス図である。
【符号の説明】
【０１６６】
１００      コンテンツ再生システム
１０３      再生装置
１０５      音声出力部
１０７      携帯再生装置
１０９      ネットワーク
【図１】
2006252659.tif 000003
【図２】
2006252659.tif 000004
【図３】
2006252659.tif 000005
【図４】
2006252659.tif 000006
【図５】
2006252659.tif 000007
【図６】
2006252659.tif 000008
【図７】
2006252659.tif 000009
【図８】
2006252659.tif 000010
【図９】
2006252659.tif 000011
【図１０】
2006252659.tif 000012
【図１１】
2006252659.tif 000013
【図１２】
2006252659.tif 000014
【図１３】
2006252659.tif 000015
【図１４】
2006252659.tif 000016
【図１５】
2006252659.tif 000017